(57)【要約】【課題】雑誌と貼付用ＣＤケースを分離することなく一緒にリサイクル処理可能にしてリサイクル処理の効率化を図るとともに、環境面に優しい配慮し経済性に富む貼付用ＣＤケースを提供する。【解決手段】ＣＤを封入し得る封筒本体２と、この封筒本体２の前面板３に封入したＣＤの表示面を透視する窓部６を設けるとともに、封筒本体２をリサイクル可能な紙素材にて形成し、窓部６にリサイクル可能な紙素材から成る透明又は半透明フィルムを貼着する。そして、封筒本体２のＣＤ封入口２ａを封止する蓋片５を封筒本体２の背面板８と重合し得るように折曲可能に設けるとともに、背面板８に対して剥離紙で覆ったリサイクル可能な両面テープ２０を接着部材２０を前記蓋片５との重合部分を含めて１本貼り付け、封筒本体２にその一片縁と平行に封筒本体２の破断用の切り込みを一箇所に設ける。【選択図】図１
0003139043.tif 000002
【実用新案登録請求の範囲】
【請求項１】
ＣＤを封入し得る封筒本体と、この封筒本体の前面側に封入したＣＤの表示面を透視する窓部を設けるとともに、
前記封筒本体をリサイクル可能な紙素材にて形成し、
かつ前記窓部を、前記封筒本体の前面側に開口した丸窓に、リサイクル可能な紙素材から成る透明又は半透明フィルムを貼着して構成した貼付用ＣＤケースにおいて、
前記封筒本体のＣＤ封入口を封止する蓋片を、封筒本体の前面側を構成する前面板の上端に前記封筒本体の背面板と重合し得るように折曲可能に設けるとともに、前記背面板に対して剥離紙で覆ったリサイクル可能な接着部材を前記蓋片との重合部分を含めて一箇所に貼り付け、かつ前記封筒本体にその一片縁と平行に前記封筒本体の破断用の切り込みを設けたことを特徴とする貼付用ＣＤケース。
【請求項２】
前記接着部材は、芯材を紙製とし、この芯材の両面に接着剤を設けた両面テープであることを特徴とする請求項１記載の貼付用ＣＤケース。
【請求項３】
前記切り込み部は、封筒本体の縁部から約３ｍｍの長さとすることを特徴とする請求項１記載の貼付用ＣＤケース。
【考案の詳細な説明】
【技術分野】
【０００１】
本考案は、ＣＤを雑誌に添付する場合に使用する貼付用ＣＤケースに関する。
【背景技術】
【０００２】
最近の雑誌中にはＣＤ−ＲＯＭが添付される場合があり、ビニール袋などのパッケージにＣＤ−ＲＯＭを収納して添付されている。このビニール袋は安いので多用されている。
【０００３】
また、図６に示すように、ＣＤを封緘して雑誌等に付けるＣＤ収納ケース３０が提案されている（特許文献１）。このＣＤ収納ケース３０は、ポリプロピレン、ポリエステル、ポリエチレン等のプラスチックフィルム３１を用いて封筒状に形成されている。ＣＤ収納ケース３０の表面側フィルムの開口片縁にはケース開口を塞ぐ封口プラップ３２が形成され、ＣＤ収納ケースの裏面側３３には、封口フラップ３２を接着するための接着剤層３４とＣＤ収納ケース３０を雑誌等に接着するための接着剤層３５が剥離紙３６，３７でそれぞれカバーされて設けられている。また、ＣＤ収納ケース３０の表面側フィルムの片縁部には、その片縁に沿ってＣＤ取り出し用のミシン目（図示省略）が形成されている。
【特許文献１】実用新案登録第３０１２８５０号公報
【考案の開示】
【考案が解決しようとする課題】
【０００４】
近年、多くの分野において、各製品のリサイクル化が望まれており、紙分野においても同様である。
【０００５】
しかしながら、紙類とビニールとを一緒にリサイクル処理することはできず、前記ビニール袋などのパッケージに収納して雑誌に添付している場合には、雑誌からパッケージを分離して雑誌をリサイクル処理する必要があった。一般に、雑誌の性質上、出荷された雑誌の約５０％程度は返品されると考えられているため、ビニール袋を分離する返品雑誌は膨大な量となり、ビニール袋を雑誌から分離するための多大な労力と時間に加え、分離した多大なビニール袋の処理作業が必要となり、リサイクル処理の経済性に問題が生し、また分離したビニール袋により作業環境が悪化するという問題が生じていた。
【０００６】
また、前記ＣＤ収納ケース３０にあっては、プラスチックフィルムが用いられており、リサイクル処理に当たり雑誌とＣＤ収納ケース３０を分離しなければならず、前記と同様に、リサイクル処理の効率化や経済性に問題があった。さらに、ＣＤ収納ケース３０の二箇所に接着剤層３４，３５を貼り付けてあるので、１枚のＣＤ収納ケース３０について、接着剤層３４，３５を２度貼り付ける作業や、雑誌にＣＤ収納ケース３０を貼り付ける際に２度の剥離紙３６，３７を剥がす作業が必要となるとともに、使用する接着剤層３４，３５の量が増加し、コスト高になる問題があった。さらに、剥がした剥離紙３６，３７が大量になり、作業環境が悪化するという問題が生じていた。
【０００７】
よって、本考案は、前記問題点に鑑みてなされたもので、雑誌と貼付用ＣＤケースを分離することなく一緒にリサイクル処理可能にしてリサイクル処理の効率化を図るとともに、環境面に優しい配慮し経済性に富む貼付用ＣＤケースを提供することを目的とする。
【課題を解決するための手段】
【０００８】
前記目的を達成するために、本考案の請求項１は、ＣＤを封入し得る封筒本体と、この封筒本体の前面側に封入したＣＤの表示面を透視する窓部を設けるとともに、前記封筒本体をリサイクル可能な紙素材にて形成し、かつ前記窓部を、前記封筒本体の前面側に開口した丸窓に、リサイクル可能な紙素材から成る透明又は半透明フィルムを貼着して構成した貼付用ＣＤケースにおいて、前記封筒本体のＣＤ封入口を閉じる蓋片を、封筒本体の前面側を構成する前面板の上端に前記封筒本体の背面板と重合し得るように折曲可能に設けるとともに、前記背面板に対して剥離紙で覆ったリサイクル可能な接着部材を前記蓋片との重合部分を含めて一箇所に貼り付け、かつ前記封筒本体にその一片縁と平行に前記封筒本体の破断用の切り込みを設けたことを特徴とする貼付用ＣＤケース。
【０００９】
また、本考案の請求項２は、請求項１の貼付用ＣＤケースにあって、前記接着部材は、芯材を紙製とし、この芯材の両面に接着剤を設けた両面テープであることを特徴とする。
【００１０】
さらに、本考案の請求項３は、請求項１の貼付用ＣＤケースにあって、前記切り込みは、封筒本体の縁部から約３ｍｍの長さとすることを特徴とする。
【考案の効果】
【００１１】
請求項１の考案によれば、封筒本体とともに接着部材をリサイクル可能としたので、貼付用ＣＤケースを雑誌から分離することなく、雑誌と一緒にリサイクル処理を行うことができ、リサイクル処理の効率化を図ることができる。さらに、封筒本体に切り込み部を設けたので、切り込み部を指で摘んで切り込み方向へ引いて封筒本体を切り破り、封入してあるＣＤを貼付用ＣＤケースから容易に除去でき、リサイクル処理の更なる効率化を図ることができる。また、封筒本体に貼り付ける接着部材を、背面板と蓋片との重合部分を含めて背面板の一箇所に設けることにしたので、貼付用ＣＤケースへの接着部材の取り付けを短時間で容易に行えるとともに、この一箇所の接着部材により、ＣＤ封入口を封止する蓋片の接着と貼付用ＣＤケースの雑誌への接着を行えるため、封筒本体への接着部材の貼り付けや接着部材の剥離紙を剥がして雑誌への貼付用ＣＤケースの貼り付けに要する作業や時間を軽減できるとともに接着部材の使用量を少なくし、かつ接着部材から剥がした剥離紙の量を少量することにより、環境面に優しい配慮し経済性に富む貼付用ＣＤケースを提供することができる。
【００１２】
請求項２の考案によれば、雑誌と貼付用ＣＤケースを貼り付ける接着部材に、芯材（基材）に紙を用いた両面接着テープを使用したので、貼付用ＣＤケースを雑誌から取り除くことなくリサイクル処理を行うことができる。
【００１３】
請求項３の考案によれば、切り込みの長さを約３ｍｍとしたので、封筒本体への切り込みを容易に行うことができるとともに、封筒本体の切り破りを支障なく行ってＣＤを封筒本体内から簡単に除去でき、また封筒本体内でＣＤが動くことで封筒本体が破れてＣＤが落下することはない。
【考案を実施するための最良の形態】
【００１４】
以下、本考案の貼付用を図面とともに説明する。
【実施例１】
【００１５】
図１は、本考案の貼付用ＣＤケースの実施例１を示し、図１（ａ）は正面図、図１（ｂ）は背面図である。
【００１６】
図１において、１は貼付用ＣＤケースを示し、この貼付用ＣＤケース１は、封筒本体２の前面板３に窓部４を備え、前面板３の上端には、蓋片５が連設されるとともに、貼付用ＣＤケース１の背面板８には、１本の両面テープ２０が貼着されて構成されている。さらに、図２に示すように、封筒本体２の片縁２ｂには、１箇所に切り込み１９を入れて切込把持部１９ａが形成されている。
【００１７】
前記両面テープ２０は、蓋片５により封筒本体２のＣＤ封入口２ａを封止する際に蓋片５と背面板８とが重合する所に、その端部を位置させつつ下方に延在させて、背面板８に貼り付けられている。すなわち、両面テープ８は背面板８において、ＣＤ封入口２ａの端部あるいは近傍に一端を位置させ、この部分イで蓋片５を背面板８に貼り付ける役割を担うとともに、他端を封筒本体２の下端あるいは下端近傍に位置させて、前記イ部分を除くロ部分で貼付用ＣＤケース１を雑誌に貼り付けるように設けられている。
【００１８】
又、両面テープ８は、図３に示すように、リサイクル可能な紙製の芯材２１の両面に接着剤２２ａ，２２ｂを設け、接着剤２２ａの上面に剥離紙２３が取り付けられており、この接着剤２２ａを介して蓋片５は背面板８に貼着されている。
【００１９】
前記切り込み１９は、封筒本体２の片縁２ｂから長さ約３ｍｍ切り込まれ、その外側に切込把持部１９ａが形成されており、この切込把持部１９ａを指で摘み、切り込み方向（矢印Ｂで示す方向）に移動させることで封筒本体２を破り、封入してあるＣＤを封筒本体２から簡単に除去し得るようになっている。
【００２０】
そして、前記封筒本体２は、リサイクル可能な紙素材により一体に形成されるとともに、前記窓部４は、封筒本体２の前面板３に丸窓６を開口し、前面板２の裏側に透明又は半透明のリサイクル可能な紙素材から成るフィルム７を貼着することにより形成されるとともに、リサイクル可能な両面テープ２０が用いられ、貼付用ＣＤケース１はリサイクル可能に形成されている。
【００２１】
因て、以上の構成から成る貼付用ＣＤケース１は、ＣＤ（図示しない）を封筒本体２内に封入した後、両面テープ２０の剥離紙２３を剥がし、蓋片５を背面板８側に折り曲げることで接着剤２２ａを介して、蓋片５を両面テープ２０のイ部分で背面板８に貼着してＣＤ封入口２ａを封止することによりＣＤを収納した貼付用ＣＤケース１とし、この貼付用ＣＤケース１を両面テープ２０のロ部分の接着剤２２ａを介して、図４に示すように、切り込み１９を上にして雑誌２５に貼着するものである。又、封筒本体２内のＣＤの表示部分は窓部４を介して透視しつつ確認することができる。
【００２２】
そして、貼付用ＣＤケース１を貼着してある雑誌２５が返却された場合には、貼付用ＣＤケース１に封入されているＣＤを封筒本体２から除去する。このＣＤの除去は、除切込把持部１９ａを指で摘んで切り込み方向へ動かして封筒本体２を破ることで、簡単に行うことができる。
【００２３】
よって、返却された雑誌２５については、封筒本体２および窓部４のフィルム７が、いずれもリサイクル可能な紙素材にて形成されているとともに、封筒本体２の雑誌２５への貼着がリサイクル可能な両面テープ２０を用いて行われており、封入されているＣＤを除去することを除いて、リサイクル不可能な部分を除去する等の前処理作業をする必要なく、貼付用ＣＤケース１を取り付けた雑誌２５をそのままリサイクルすることが可能である。
【実施例２】
【００２４】
図５は、本考案の貼付用ＣＤケースの実施例２を示すもので、特に図１に示す封筒本体２をプレスによる打ち抜き方法とこれを自動機にて製造する場合を示すものである。
【００２５】
図５は、封筒本体１の型抜体の平面図を示すものである。
しかして、図５において、１０は封筒本体２の構成に必要な前面板３，背面板８および前面板３の左右両側に左右一対の背面板８との貼付片１１，１２、さらには、窓部４の丸窓６を備える型抜体を示すものである。
【００２６】
そして、当該型抜体１０は、クラフト紙（再生晒クラフト１０８Ｋ）をプレスにて型抜きすることにより形成することができる。
【００２７】
又、図５の型抜き体１０を打ち抜き後、図５の点線１３で示す位置に、グラシン（２０ｇ／ｍ２）のフィルム１３を貼着する。
【００２８】
フィルム１３を型抜体１０の前面板３の裏側に貼着することによって、型抜体１０に、その後の自動機による封筒本体２の製造に耐え得る強度を付与することができる。
【００２９】
すなわち、型抜体１０の前面板３に丸窓６を打ち抜いた状態であると、その打ち抜き部分が大きく、型抜体１０を製造ラインに流した場合、製造に必要な状態にて搬送することが不可能で、適確な折り込み、貼着等の作業が出来ず、不良品の発生する原因ともなる。
【００３０】
従って、丸窓６部分にグラシンフィルム１３を貼着することにより、型抜体１０自体に強度が増し、封筒本体２の自動機による製造を可能ならしめることが出来る。
【００３１】
そこで、図５の型抜体１０に、前記グラシンフィルム１３の貼着作業を行った後、これを自動機により、貼付片１１，１２を折り込み線１４，１５により内側に折り込むとともに背面板８を折り込み線１６により内側に折り込みつつ、これを前記貼着片１１，１２に貼着することにより、封筒本体２を製造することができ、同時に、図１，２に示す、貼付用ＣＤケース１を製造することができる。
【００３２】
尚、前記封筒本体１およびグラシンフィルム１３、両面テープ２０の貼着作業は、自動機による自動作業に換えては、手作業にて貼着することも勿論可能である。
【００３３】
こうして製造した貼付用ＣＤケース１についても、図１の場合と同様に使用することができるとともに、封筒本体２の素材はクラフト紙であるとともに窓部４のグラシンフィルム１３も紙素材であり、また両面テープ２０も封筒本体２に貼付したままでリサイクル可能である。
【００３４】
又、グラシンフィルム１３自体、厚さ０．０２５ｍｍのフィルムで、強度は、引っ張り強度３．４０ｋｇｆ（縦）、１．５８ｋｇｆ（横）、引き裂き強度８．０ｇｆ（縦）、９．５ｇｆ（横）と十分な強度を有するとともに白色度７５．３％、透明度７６．９％を備え、窓部４におけるＣＤ表示面に対する透視性も全く問題のないものである。
【図面の簡単な説明】
【００３５】
【図１】本考案の実施例１の貼付用ＣＤケースを示し、図１（ａ）は正面図、図２（ｂ）は背面図である。
【図２】本考案の実施例１のＣＤを封入した貼付用ＣＤケースを示す正面図である。
【図３】両面テープを示す断面図である。
【図４】本考案の実施例１の貼付用ＣＤケースの使用状態を示す斜視図である。
【図５】本考案の実施例２の型抜体を示す平面図である。
【図６】従来例を示す斜視図である。
【符号の説明】
【００３６】
１    貼付用ＣＤケース
２    封筒本体
３    前面板
４    窓部
５    蓋片
６    窓部
７    フィルム
８    背面板
１０  型抜体
１１，１２  貼付片
１３  グラシンフィルム
１４，１５，１６  折り込み線
１９  切り込み
１９ａ  切込把持部
２０  両面テープ
２１  芯材
２２ａ，２２ｂ  接着剤
２３  剥離紙
２５  雑誌
【図１】
0003139043.tif 000003
【図２】
0003139043.tif 000004
【図３】
0003139043.tif 000005
【図４】
0003139043.tif 000006
【図５】
0003139043.tif 000007
【図６】
0003139043.tif 000008